(57)【要約】      （修正有）【課題】簡単に着脱可能な保温用ボトルを提供する。【解決手段】保温用ボトル１００は、カップ本体１１０と、リングキット１２０と、４つのシーリングガスケット１３０ａ、１３０ｂ、１３０ｃ、１３０ｄと、カップ蓋１４０と、を備える。カップ本体１１０は、外スリーブ１１１と、ライナー１１３と、を含む。外スリーブ１１１は、ポート１１１ａ及び収納スペースＡを有する。ポート１１１ａは、外スリーブ１１１のベース１１１１に対向する。収納スペースＡは、ポート１１１ａとベース１１１１との間に形成される。ライナー１１３は、ポート１１１ａを貫通して、収納スペースＡ内に収納される。シーリングガスケット１３０ｃは、外スリーブ１１１のベース１１１１とライナー１１３のシャーシ１１３１との間に当接される。シーリングガスケット１３０ｃは、弾性を有する。【選択図】図１
0003229895.tif 000002
【実用新案登録請求の範囲】
【請求項１】
収納スペースを有する外スリーブと、前記収納スペース内に収納されるライナーと、を含むカップ本体と、
前記ライナーの外壁に外嵌され、前記収納スペース内で前記外スリーブに結合されるリングキットと、
前記ライナーに取り外し可能に接続されるカップ蓋と、
を備える保温用ボトル。
【請求項２】
前記リングキットと前記外スリーブとの間に当接されるシーリングガスケットを更に備える請求項１に記載の保温用ボトル。
【請求項３】
前記リングキットと前記ライナーとの間に当接されるシーリングガスケットを更に備える請求項１に記載の保温用ボトル。
【請求項４】
前記外スリーブと前記ライナーとの間に当接されるシーリングガスケットを更に備える請求項１に記載の保温用ボトル。
【請求項５】
前記リングキットは第１の接続部を含み、前記外スリーブは第２の接続部を含み、前記第１の接続部が前記第２の接続部に取り外し可能に接続される請求項１に記載の保温用ボトル。
【請求項６】
前記第１の接続部と前記第２の接続部の一方は突起であり、前記第１の接続部と前記第２の接続部の他方は凹溝であり、前記突起が前記凹溝内に取り外し可能に係合される請求項５に記載の保温用ボトル。
【請求項７】
前記第１の接続部は雄ネジであり、前記第２の接続部は雌ネジであり、前記雄ネジが前記雌ネジに取り外し可能に螺合される請求項５に記載の保温用ボトル。
【請求項８】
前記リングキットは第１の係合部を含み、前記ライナーは第２の係合部を含み、前記第１の係合部が前記第２の係合部に取り外し可能に係合される請求項１に記載の保温用ボトル。
【請求項９】
前記第１の係合部と前記第２の係合部の一方は突起であり、前記第１の係合部と前記第２の係合部の他方は凹溝であり、前記突起が前記凹溝内に取り外し可能に係合される請求項８に記載の保温用ボトル。
【請求項１０】
前記ライナーは、前記ライナーの内壁に設けられる第１の環状斜角面を有するカップ口を含み、前記カップ蓋は、前記カップ口へ突出し、部分的に前記カップ口内に収納されるように配置され、前記突起部の外壁に設けられる第２の環状斜角面を有する突起部を含み、前記第１の環状斜角面の幅の変更方向と前記第２の環状斜角面の幅の変更方向とが同じである請求項１に記載の保温用ボトル。
【請求項１１】
前記リングキットの上面と前記外スリーブの上面とは、面一である請求項１に記載の保温用ボトル。
【請求項１２】
収納スペースを有する外スリーブと、前記収納スペース内に収納されるライナーと、を含むカップ本体と、
前記ライナーの外壁に外嵌され、前記収納スペース内で前記外スリーブに結合されるリングキットと、
前記外スリーブに取り外し可能に接続されるカップ蓋と、
を備える保温用ボトル。
【請求項１３】
前記リングキットと前記外スリーブとの間に当接されるシーリングガスケットを更に備える請求項１２に記載の保温用ボトル。
【請求項１４】
前記リングキットと前記ライナーとの間に当接されるシーリングガスケットを更に備える請求項１２に記載の保温用ボトル。
【請求項１５】
前記外スリーブと前記ライナーとの間に当接されるシーリングガスケットを更に備える請求項１２に記載の保温用ボトル。
【請求項１６】
前記リングキットは第１の接続部を含み、前記外スリーブは第２の接続部を含み、前記第１の接続部が前記第２の接続部に取り外し可能に接続される請求項１２に記載の保温用ボトル。
【請求項１７】
前記第１の接続部と前記第２の接続部の一方は突起であり、前記第１の接続部と前記第２の接続部の他方は凹溝であり、前記突起が前記凹溝内に取り外し可能に係合される請求項１６に記載の保温用ボトル。
【請求項１８】
前記第１の接続部は雄ネジであり、前記第２の接続部は雌ネジであり、前記雄ネジが前記雌ネジに取り外し可能に螺合される請求項１６に記載の保温用ボトル。
【請求項１９】
前記リングキットは第１の係合部を含み、前記ライナーは第２の係合部を含み、前記第１の係合部が前記第２の係合部に取り外し可能に係合される請求項１２に記載の保温用ボトル。
【請求項２０】
前記第１の係合部と前記第２の係合部の一方は突起であり、前記第１の係合部と前記第２の係合部の他方は凹溝であり、前記突起が前記凹溝内に取り外し可能に係合される請求項１９に記載の保温用ボトル。
【請求項２１】
前記ライナーは、前記ライナーの内壁に設けられる第１の環状斜角面を有するカップ口を含み、前記カップ蓋は、前記カップ口へ突出し、部分的に前記カップ口内に収納されるように配置され、前記突起部の外壁に設けられる第２の環状斜角面を有する突起部を含み、前記第１の環状斜角面の幅の変更方向と前記第２の環状斜角面の幅の変更方向とが同じである請求項２０に記載の保温用ボトル。
【考案の詳細な説明】
【技術分野】
【０００１】
本考案は、保温用ボトルに関し、特に、簡単に着脱可能な保温用ボトルに関する。
【背景技術】
【０００２】
野外活動の過程で、保温用ボトルによって飲み物や水の温度を保存することはよくある。断熱保温のために、一般的な保温用ボトルのカップ本体は、内外の２層の容器セットで組み合わせられる。
【０００３】
よく見られる組立方法としては、のり等の接着剤を保温用ボトルのライナーの外壁に塗布した後で、ライナーをしばらく置く。接着剤が風乾したら、円筒形の外スリーブで上向きに保温用ボトルのライナーを覆って、ライナーの外壁の接着剤を外スリーブとライナーに接着させて、外スリーブ及びライナーを互いに固定させる。
【０００４】
しかしながら、この組立方法によれば、接着剤を風乾させてから組み立てるので、全体の組立過程は非常に時間がかかる。また、保温用ボトルが長期間使用された後で、のりが老化しやすくなり、粘度が低下するため、ライナーが外スリーブから緩む。また、ユーザーが誤ってライナーを壊す場合、修理者は、ライナーを交換する前に、外スリーブに残っているライナーの全ての破片を取り除かなければならない。これは、保温用ボトルの修理やメンテナンスには、非常に不便である。
【考案の概要】
【考案が解決しようとする課題】
【０００５】
従って、上記の課題を解決できる保温用ボトルを如何に解決するかは、業界が研究開発リソースに投資することを熱望している課題の１つである。
【課題を解決するための手段】
【０００６】
これに鑑みて、本考案の一目的は、接着剤を必要とせず、簡単に着脱可能な保温用ボトルを提出することにある。
【０００７】
上記の目的を達成するために、本考案の一実施形態によれば、収納スペースを有する外スリーブと、収納スペース内に収納されるライナーと、を含むカップ本体と、ライナーの外壁に外嵌され、収納スペース内で外スリーブに結合されるリングキットと、ライナーに取り外し可能に接続されるカップ蓋と、を備える保温用ボトルを提供する。
【０００８】
本考案の一つ又は複数の実施形態において、前記保温用ボトルは、リングキットと外スリーブとの間に当接されるシーリングガスケットを更に備える。
【０００９】
本考案の一つ又は複数の実施形態において、前記保温用ボトルは、リングキットとライナーとの間に当接されるシーリングガスケットを更に備える。
【００１０】
本考案の一つ又は複数の実施形態において、前記保温用ボトルは、外スリーブとライナーとの間に当接されるシーリングガスケットを更に備える。
【００１１】
本考案の一つ又は複数の実施形態において、前記リングキットは第１の接続部を含み、外スリーブは第２の接続部を含み、第１の接続部が第２の接続部に取り外し可能に接続される。
【００１２】
本考案の一つ又は複数の実施形態において、前記第１の接続部と第２の接続部の一方は突起であり、第１の接続部と第２の接続部の他方は凹溝であり、突起が凹溝内に取り外し可能に係合される。
【００１３】
本考案の一つ又は複数の実施形態において、前記第１の接続部は雄ネジであり、第２の接続部は雌ネジであり、雄ネジが雌ネジに取り外し可能に螺合される。
【００１４】
本考案の一つ又は複数の実施形態において、前記リングキットは第１の係合部を含み、ライナーは第２の係合部を含み、第１の係合部が第２の係合部に取り外し可能に係合される。
【００１５】
本考案の一つ又は複数の実施形態において、前記第１の係合部と第２の係合部の一方は突起であり、第１の係合部と第２の係合部の他方は凹溝であり、突起が凹溝内に取り外し可能に係合される。
【００１６】
本考案の一つ又は複数の実施形態において、前記ライナーは、ライナーの内壁に設けられる第１の環状斜角面を有するカップ口を含み、カップ蓋は、カップ口へ突出し、部分的にカップ口内に収納されるように配置され、突起部の外壁に設けられる第２の環状斜角面を有する突起部を含み、第１の環状斜角面の幅の変更方向と第２の環状斜角面の幅の変更方向とが同じである。
【００１７】
本考案の一つ又は複数の実施形態において、前記リングキットの上面と外スリーブの上面とは、面一である。
【００１８】
上記の目的を達成するために、本考案の他の実施形態によれば、収納スペースを有する外スリーブと、収納スペース内に収納されるライナーと、を含むカップ本体と、ライナーの外壁に外嵌され、収納スペース内で外スリーブに結合されるリングキットと、外スリーブに取り外し可能に接続されるカップ蓋と、を備える保温用ボトルを提供する。
【００１９】
要するに、本考案の保温用ボトルは、リングキットによって保温用ボトルのライナーの外壁に外嵌されてから、リングキットと外スリーブとの係合により、接着剤を必要とせずに、ライナーが外スリーブに固定されることができる。このように、接着剤の劣化を心配することなく、保温用ボトルの組み立てプロセスを簡略化及び短縮することに役立つ。更に、外スリーブ及びカップ蓋はリングキット及びライナーの外に覆われ、保温用ボトルが落下する時に、衝突によるリングキット及びライナーが破損しないようにリングキット及びライナーを保護する。なお、ライナー、リングキット及び外スリーブに当接されるシーリングガスケットは、ライナー、リングキット及び外スリーブの間の公差によるギャップを充填し、液体の流れを回避することに加え、保温用ボトルを組み立てる時に、ライナー、リングキット及び外スリーブが互いに対向的にスライドして緩むことを避けるように、ライナー、リングキット及び外スリーブの間の摩擦を増加させることができる。
【００２０】
以上述べたのは、本考案が解决しようとする課題、課題を解決するための手段、及び考案の効果等を記述するためのものであり、本考案の具体的な細部を、下記の実施形態及び関連する図面において詳しく説明する。
【図面の簡単な説明】
【００２１】
下記の添付図面の説明は、本考案の上記及び他の目的、特徴、メリット、実施例をより分かりやすくするためのものである。
【図１】本考案の一実施形態に係る保温用ボトルを示す断面図である。
【図２】図１の保温用ボトルを示す部分断面図である。
【図３】図１の保温用ボトルを示す部分断面図であり、カップ蓋がライナーに接続される。
【図４】本考案の別の実施形態の保温用ボトルを示す部分断面図であり、リングキットがライナーのカップ口に延伸する。
【図５】本考案の更に他の実施形態の保温用ボトルを示す部分断面図であり、シーリングガスケットがライナー及びリングキットの間に当接される。
【図６】本考案の更に１つの実施形態の保温用ボトルを示す部分断面図であり、外スリーブとリングキットとが係合するように互いに固定される。
【図７】本考案の更に１つの実施形態の保温用ボトルを示す部分断面図であり、カップ蓋が外スリーブに螺合されるようにカップ本体を覆う。
【図８】本考案の更に１つの実施形態の保温用ボトルを示す部分断面図であり、カップ蓋が外スリーブに螺合されるようにカップ本体を覆い、且つ外スリーブとリングキットが螺合されるように互いに固定される。
【考案を実施するための形態】
【００２２】
以下、図面で本考案の複数の実施形態を説明する。明らかに説明するために、下記で多くの実際の細部を合わせて説明する。しかしながら、理解すべきなのは、これらの実際の細部が、本考案を制限するためのものではない。つまり、本考案の実施形態の一部において、これらの実際の細部は、必ずしも必要ではない。また、図面を簡略化するために、ある従来慣用の構造及び素子については、図面において簡単で模式的に示される。
【００２３】
図１を参照されたい。図１は、本考案一実施形態の保温用ボトル１００を示す断面図である。
【００２４】
図１に示すように、保温用ボトル１００は、カップ本体１１０と、リングキット１２０と、４つのシーリングガスケット１３０ａ、１３０ｂ、１３０ｃ、１３０ｄと、カップ蓋１４０と、を備える。カップ本体１１０は、外スリーブ１１１と、ライナー１１３と、を含む。外スリーブ１１１は、ポート１１１ａ及び収納スペースＡを有する。ポート１１１ａは、外スリーブ１１１のベース１１１１に対向する。収納スペースＡは、ポート１１１ａとベース１１１１との間に形成される。ライナー１１３は、ポート１１１ａを貫通して、収納スペースＡ内に収納される。シーリングガスケット１３０ｃは、外スリーブ１１１のベース１１１１とライナー１１３のシャーシ１１３１との間に当接される。シーリングガスケット１３０ｃは、弾性を有する。このように、シーリングガスケット１３０ｃは、ライナー１１３が破れることを防止するように、保温用ボトル１００の方向Ｄ１に受ける衝突を吸収することができる。
【００２５】
いくつかの実施形態において、外スリーブ１１１の材質は、ステンレス鋼のような硬い材質であってよいが、本考案はこれに限定されない。
【００２６】
いくつかの実施形態において、ライナー１１３の材質は、セラミックス、ガラスであってよいが、本考案はこれらに限定されない。
【００２７】
いくつかの実施形態において、リングキット１２０の材質は、例えばポリプロピレン（Ｐｏｌｙｐｒｏｐｙｌｅｎｅ；ＰＰ）、ＡＢＳ樹脂（Ａｃｒｙｌｏｎｉｔｒｉｌｅ  Ｂｕｔａｄｉｅｎｅ  Ｓｔｙｒｅｎｅ；ＡＢＳ）のようなプラスチック材質であってよいが、本考案はこれらに限定されない。
【００２８】
いくつかの実施形態において、シーリングガスケット１３０ａ、１３０ｂ、１３０ｃ、１３０ｄの材質は、シリカゲルであってよいが、本考案はこれに限定されない。
【００２９】
いくつかの実施形態において、外スリーブ１１１及びライナー１１３の形は、ホーンカラム状、ストレートチューブ状、トーチ状又は他の任意の形であってよいが、本考案はこれらに限定されない。
【００３０】
図２及び図３を参照されたい。図２は、図１の保温用ボトル１００を示す部分断面図である。図３は、図１の保温用ボトル１００を示す部分断面図であり、カップ蓋１４０がライナー１１３に接続される。
【００３１】
リングキット１２０は、ライナー１１３の外壁１１３ａに外嵌され、且つ収納スペースＡ内で外スリーブ１１１に結合される。具体的に、リングキット１２０は、第１の接続部１２２を含む。第１の接続部１２２は、リングキット１２０の外壁１２０ａに設けられる。第１の接続部１２２は、雄ネジである。外スリーブ１１１は、第２の接続部１１１３を含む。第２の接続部１１１３は、外スリーブ１１１の内壁１１１ｂに設けられる。第２の接続部１１１３は、雌ネジである。リングキット１２０は、第１の接続部１２２と第２の接続部１１１３との螺合により、外スリーブ１１１に結合される。これにより、ライナー１１３は、リングキット１２０と外スリーブ１１１との螺合により、外スリーブ１１１に固定される。
【００３２】
シーリングガスケット１３０ａは、リングキット１２０の外壁１２０ａに外嵌され、且つリングキット１２０及び外スリーブ１１１の間に当接される。シーリングガスケット１３０ｂは、ライナー１１３の外壁１１３ａに外嵌され、且つライナー１１３及び外スリーブ１１１の間に当接される。更に、ライナー１１３は、ボス１１３３を含む。ボス１１３３は、ライナー１１３の外壁１１３ａに接続され、ライナー１１３の外壁１１３ａに対向して突出する。シーリングガスケット１３０ｂは、ボス１１３３に置かれる。リングキット１２０は、更にシーリングガスケット１３０ｂに設けられる。言い換えれば、方向Ｄ１に、シーリングガスケット１３０ｂはリングキット１２０及びボス１１３３の間に当接される。方向Ｄ２に、シーリングガスケット１３０ｂはライナー１１３及び外スリーブ１１１の間に当接される。方向Ｄ１は、実際に方向Ｄ２と垂直である。
【００３３】
ライナー１１３、外スリーブ１１１及びリングキット１２０の製造の過程において、公差により、組み立てる時にライナー１１３、外スリーブ１１１及びリングキット１２０の外縁が完全にフィットできなくなり、外スリーブ１１１、ライナー１１３及びリングキット１２０の間にギャップを持たせる。シーリングガスケット１３０ａ、１３０ｂは、これらのギャップを充填するように外スリーブ１１１、ライナー１１３及びリングキット１２０の間に設けられて、飲料、水等の液体が外スリーブ１１１、ライナー１１３及びリングキット１２０の間のギャップに流れることを防止する。また、シーリングガスケット１３０ａ、１３０ｂは、ライナー１１３、外スリーブ１１１及びリングキット１２０の間の摩擦力を増加させることもでき、これによりライナー１１３、外スリーブ１１１及びリングキット１２０が互いに対向して摺動又は回転して緩むことを防止する。なお、液体が意外にライナー１１３とリングキット１２０の間、又は、外スリーブ１１１とリングキット１２０の間に流れると、ボス１１３３は、液体をブロックすることができ、液体をボス１１３３に蓄積させる。これにより、使用者は、保温用ボトル１００を上下逆さまにして、液体を素早く流出させる。
【００３４】
更に、本実施形態において、リングキット１２０の上面１２０ｂと外スリーブ１１１の上面１１１ｃとは、面一である。ライナー１１３は、カップ口１１３ｃを有する。カップ口１１３ｃは、リングキット１２０の上面１２０ｂと外スリーブ１１１の上面１１１ｃに対向して延伸して突出する。言い換えれば、カップ口１１３ｃは、部分的に外スリーブ１１１のポート１１１ａを介して露出する。カップ蓋１４０は、取り外し可能にライナー１１３のカップ口１１３ｃに接続される。このように、ライナー１１３における液体を飲むために使用者の口がカップ口１１３ｃに近い場合、使用者の口がリングキット１２０に触れなく、直接ライナー１１３と接触する。健康面では、使用者にとってより安全で衛生的である。見た目も綺麗である。
【００３５】
具体的に、カップ口１１３ｃの外壁１１３ａには雄ネジ１１３５が設けられる。カップ蓋１４０の内壁１４０ａは、雌ネジ部１４２を含む。カップ蓋１４０は、図３に示すように、雌ネジ部１４２によりライナー１１３の雄ネジ１１３５に螺合されて、カップ口１１３ｃを覆う。カップ口１１３ｃは、第１の環状斜角面１１３ｃ１を有する。第１の環状斜角面１１３ｃ１は、ライナー１１３の内壁に設けられる。第１の環状斜角面１１３ｃ１の幅は、方向Ｄ１に沿ってカップ蓋１４０に近ければ近いほど次第に増加する。カップ蓋１４０は、突起部１４４を含む。突起部１４４は、カップ口１１３ｃへ突出する。カップ蓋１４０とライナー１１３とが螺合されて接続される場合、突起部１４４は部分的にカップ口１１３ｃ内に収納される。突起部１４４は、第２の環状斜角面１４４１を有する。第２の環状斜角面１４４１は、突起部１４４の外壁に設けられる。第２の環状斜角面１４４１の幅は、方向Ｄ１に沿ってカップ口１１３ｃに近ければ近いほど次第に小さくなる。言い換えれば、第１の環状斜角面１１３ｃ１の幅の変更方向は、実際に第２の環状斜角面１４４１の幅の変更方向と同じである。
【００３６】
シーリングガスケット１３０ｄは、突起部１４４に設けられる。カップ蓋１４０がライナー１１３に螺合される場合、シーリングガスケット１３０ｄは、第１の環状斜角面１１３ｃ１及び第２の環状斜角面１４４１の間に当接される。第１の環状斜角面１１３ｃ１と、第２の環状斜角面１４４１との両者の幅の変更の組み合わせにより、シーリングガスケット１３０ｄは、カップ蓋１４０とライナー１１３の間のギャップを効果的に塞いで、ライナー１１３に収納される液体が漏れることを防ぐことができる。
【００３７】
いくつかの実施形態において、シーリングガスケット１３０ａ、１３０ｂ、１３０ｃ、１３０ｄの数は、１つ又は、複数である。他の実施形態において、シーリングガスケット１３０ａ、１３０ｂ、１３０ｃ、１３０ｄを選択的に略してよいが、本考案はこれに限定されべきではない。
【００３８】
上記の構造設計のように、保温用ボトル１００を組み立てる時に、まずシーリングガスケット１３０ｂ及びリングキット１２０を順次にライナー１１３の外壁１１３ａに外嵌する。そして、シーリングガスケット１３０ａをリングキット１２０の外壁１２０ａに外嵌する。最後、リングキット１２０と外スリーブ１１１とが螺合して固定されると、保温用ボトル１００の組み立てが完成される。この組み立て形態により、接着剤の使用を略して、大幅に保温用ボトル１００の組み立て時間を短くして、接着剤の老化がなく、ライナー１１３が外スリーブ１１１から落ちるという問題を解決することができる。また、機械的強度が大きな外スリーブ１１１は、機械的強度が小さいリングキット１２０の外に覆われて、リングキット１２０を保護して、保温用ボトル１００が落ちる時に、リングキット１２０及びライナー１１３の破損を避けることができる。このように、メンテナンス中に、ライナー１１３のみを交換する必要があり、リングキット１２０は、依然として再利用することができ、メンテナンスのコストを削減することに役立つ。
【００３９】
図４を参照されたい。図４は、本考案の他の実施形態の保温用ボトル２００を示す部分断面図であり、リングキット２２０がライナー１１３のカップ口１１３ｃに延伸する。図４に示すように、本実施形態において、保温用ボトル２００は、カップ本体２１０、リングキット２２０、シーリングガスケット１３０ａ、１３０ｂ、１３０ｄ及びカップ蓋１４０を含む。カップ本体２１０は、外スリーブ１１１及びライナー２１３を含む。本実施形態における外スリーブ１１１、シーリングガスケット１３０ａ、１３０ｂ、１３０ｄ及びカップ蓋１４０は何れも図２に示すような実施形態と同じであり又は類似するので、前記の関連説明を参照して、ここに説明しない。説明すべきなのは、本実施形態は図２に示すような実施形態との差異は、本実施形態におけるリングキット２２０の上面２２０ｂが外スリーブ１１１の上面１１１ｃに対向して突出することにある。言い換えれば、リングキット２２０は、更にカップ口１１３ｃの外壁１１３ａを囲む。リングキット２２０の外壁２２０ａは、雄ネジ２２４を有する。本実施形態において、カップ蓋１４０の雌ネジ部１４２は、リングキット２２０の雄ネジ２２４と互いに螺合されて、カップ本体２１０を覆う。且つ、カップ蓋１４０がカップ本体２１０を覆う場合、リングキット２２０は、ライナー２１３及びカップ蓋１４０の間（未図示）に当接される。このように、リングキット２２０は、カップ口１１３ｃのライナー２１３を保護して、ライナー２１３を破損させる外力による衝突又は衝撃を防止することができる。
【００４０】
更に、本実施形態において、リングキット２２０は、第１の係合部２２１を含む。ライナー２１３は、第２の係合部２１３９を含む。第１の係合部２２１は、凹溝である。第２の係合部２１３９は、ライナー２１３の外壁１１３ａに対向して突出する突起である。ライナー２１３とリングキット２２０とは、第２の係合部２１３９及び第１の係合部２２１の係合により互いに固定される。
【００４１】
いくつかの実施形態において、第２の係合部２１３９は、凹溝であり、第１の係合部２２１は突起であり、本考案はこれらに限定されない。
【００４２】
図５を参照されたい。図５は、本考案の更に１つの実施形態の保温用ボトル３００を示す部分断面図であり、シーリングガスケット３３０ｅがライナー１１３及びリングキット３２０の間に当接される。図５に示すように、本実施形態において、保温用ボトル３００は、カップ本体１１０、リングキット３２０、シーリングガスケット１３０ａ、１３０ｄ、３３０ｅ及びカップ蓋１４０を含む。本実施形態におけるカップ本体１１０、シーリングガスケット１３０ａ、１３０ｄ及びカップ蓋１４０は、何れも前記のような実施形態と同じであり又は類似するので、前記の関連説明を参照するが、ここに説明しない。説明すべきなのは、本実施形態と前記のような実施形態との差異は、本実施形態において、保温用ボトル３００がシーリングガスケット３３０ｅを更に含むことにある。シーリングガスケット３３０ｅは、ライナー１１３外に外嵌され、方向Ｄ２にライナー１１３及びリングキット３２０の間に当接される。
【００４３】
更に、シーリングガスケット３３０ｅは、第３の係合部３３０ｅ１を含む。第３の係合部３３０ｅ１は、突起である。リングキット３２０は、第１の係合部２２１を含む。第１の係合部２２１は、凹溝である。シーリングガスケット３３０ｅ及びリングキット３２０は、第３の係合部３３０ｅ１及び第１の係合部２２１の係合により固定される。組み立てる時に、まずシーリングガスケット３３０ｅをライナー１１３の外に外嵌して、リングキット３２０とシーリングガスケット３３０ｅとを係合させる。このように、リングキット３２０が外スリーブ１１１に接続される場合、シーリングガスケット３３０ｅは、リングキット３２０とライナー１１３の間の摩擦力を増加させてよく、これによりリングキット３２０とライナー１１３が互いに対向して摺動又は回転して緩むことを防止する。
【００４４】
いくつかの実施形態において、第３の係合部３３０ｅ１は、凹溝であり、第１の係合部２２１は突起であり、本考案はこれらに限定されない。
【００４５】
図６を参照されたい。図６は、本考案の更に１つの実施形態の保温用ボトル４００を示す部分断面図であり、外スリーブ４１１及びリングキット４２０は、係合するように固定される。図６に示すように、本実施形態において、保温用ボトル４００は、カップ本体４１０、リングキット４２０、シーリングガスケット１３０ａ、１３０ｂ、１３０ｄ及びカップ蓋１４０を含む。カップ本体４１０は、外スリーブ４１１及びライナー１１３を含む。本実施形態におけるライナー１１３、シーリングガスケット１３０ａ、１３０ｂ、１３０ｄ及びカップ蓋１４０は、何れも図２に示すような実施形態と同じであり又は類似するので、前記の関連説明を参照することができ、ここに説明しない。説明すべきなのは、本実施形態と図２に示すような実施形態との差異は、本実施形態において、リングキット４２０の第１の接続部４２２がリングキット４２０の外壁４２０ａに対向して突出する突起であることにある。対応的に、外スリーブ４１１の第２の接続部４１１３は、凹溝である。リングキット４２０は、第１の接続部４２２と第２の接続部４１１３の係合を介して、外スリーブ４１１に結合される。このように、組み立てる時に、力を与えて外スリーブ４１１とリングキット４２０を係合させると、快速に保温用ボトル４００を組み立てることができる。
【００４６】
いくつかの実施形態において、第１の接続部４２２は、凹溝であり、第２の接続部４１１３は突起であり、本考案はこれらに限定されない。
【００４７】
いくつかの実施形態において、図６に示すような第１の接続部４２２及び第２の接続部４１１３も前記の第２〜５図に示すような実施例に適用され、本考案はこれらに限定されない。
【００４８】
図７を参照されたい。図７は、本考案の更に１つの実施形態の保温用ボトル５００を示す部分断面図であり、カップ蓋５４０が外スリーブ５１１に螺合されるようにカップ本体５１０を覆う。図７に示すように、本実施形態において、保温用ボトル５００は、カップ本体５１０、リングキット５２０、シーリングガスケット１３０ａ、３３０ｅ及びカップ蓋５４０を含む。カップ本体５１０は、ライナー５１３及び外スリーブ５１１を含む。本実施形態におけるシーリングガスケット１３０ａ、３３０ｅは、何れも前記のような実施形態と同じであり又は類似するので、前記の関連説明を参照することができ、ここに説明しない。説明すべきなのは、本実施形態と前記のような実施形態との差異は、本実施形態において、外スリーブ５１１が更に方向Ｄ１に沿ってカップ蓋５４０へ延伸することにある。言い換えれば、外スリーブ５１１のポート５１１ａは、ライナー５１３のカップ口１１３ｃを囲む。リングキット５２０は、ライナー５１３及び外スリーブ５１１の間に固定される。外スリーブ５１１の外壁は、雄ネジ５１１５を含む。カップ蓋５４０は、雌ネジ部１４２により外スリーブ５１１の雄ネジ５１１５と互いに螺合されて、カップ本体５１０を覆う。
【００４９】
本実施形態において、リングキット５２０の第１の接続部５２２は、凹溝であり、外スリーブ５１１の第２の接続部５１１３は、突起である。リングキット５２０と外スリーブ５１１とは、突起と凹溝との係合するように固定される。
【００５０】
更に、本実施形態において、ライナー５１３は、ライナー１１３の第１の環状斜角面１１３ｃ１を省略した。カップ蓋５４０は、カップ蓋１４０の突起部１４４及び第２の環状斜角面１４４１を省略したが、本考案はこれに限定されない。
【００５１】
図８を参照されたい。図８は、本考案の更に１つの実施形態の保温用ボトル６００を示す部分断面図であり、カップ蓋５４０が外スリーブ６１１に螺合されるようにカップ本体６１０を覆い、且つ外スリーブ６１１とリングキット６２０とが螺合されるように互いに固定される。図８に示すように、本実施形態において、保温用ボトル６００は、カップ本体６１０、リングキット６２０、シーリングガスケット１３０ａ、３３０ｅ及びカップ蓋５４０を含む。カップ本体６１０は、ライナー５１３及び外スリーブ６１１を含む。本実施形態におけるライナー５１３、シーリングガスケット１３０ａ、３３０ｅ及びカップ蓋５４０は、何れも図７に示すような実施形態と同じであり又は類似するので、前記の関連説明を参照することができ、ここに説明しない。説明すべきなのは、本実施形態と図７に示すような実施形態との差異は、図７に示すような実施形態において、リングキット５２０と外スリーブ５１１とが凹溝と突起との係合により固定されることにある。しかしながら、本実施形態において、リングキット６２０の第１の接続部６２２は、雄ネジであり、外スリーブ６１１の第２の接続部６１１３は、雌ネジである。リングキット６２０と外スリーブ６１１とは、雄ネジと雌ネジとの螺合により固定される。
【００５２】
上記の構造設計のように、機械的強度が大きい外スリーブ５１１／６１１が機械的強度の小さいリングキット５２０／６２０及びライナー５１３の外に覆われて、リングキット５２０／６２０及びライナー５１３を保護して、保温用ボトル５００／６００が落ちる時に、リングキット５２０／６２０及びライナー５１３の破損を避けることができる。
【００５３】
本考案の具体的な実施形態に関する上記の詳細な説明から明らかにわかるように、本考案の保温用ボトルは、リングキットによって保温用ボトルのライナーの外壁に外嵌されてから、リングキットと外スリーブとの係合により、ライナーが接着剤を必要とせず外スリーブに固定されることができる。このように、接着剤の劣化を心配することなく、保温用ボトルの組み立てプロセスを簡略化及び短縮することに役立つ。更に、外スリーブ及びカップ蓋はリングキット及びライナーの外に覆われ、保温用ボトルが落下する時に、衝突によりリングキット及びライナーが破損しないようにリングキット及びライナーを保護する。なお、ライナー、リングキット及び外スリーブに当接されるシーリングガスケットは、ライナー、リングキット及び外スリーブの間の公差によるギャップを充填し、液体の流れを回避することに加え、保温用ボトルを組み立てる時に、ライナー、リングキット及び外スリーブが互いに対向的にスライドして緩むことを避けるように、ライナー、リングキット及び外スリーブの間の摩擦を増加させることができる。
【００５４】
本考案は、実施形態を前記の通りに開示したが、これは、本考案を限定するものではなく、当業者であれば、本考案の精神と範囲から逸脱しない限り、多様の変更や修飾を加えることができる。従って、本考案の保護範囲は、下記実用新案登録請求の範囲で指定した内容を基準とするものである。
【符号の説明】
【００５５】
１００、２００、３００、４００、５００、６００：保温用ボトル
１１０、２１０、４１０、５１０、６１０：カップ本体
１１１、４１１、５１１、６１１：外スリーブ
１１１ａ、５１１ａ：ポート
１１１ｂ、１４０ａ：内壁
１１１ｃ、１２０ｂ、２２０ｂ：上面
１１１１：ベース
１１１３、４１１３、５１１３、６１１３：第２の接続部
１１３、２１３、５１３：ライナー
１１３ａ、１２０ａ、２２０ａ、４２０ａ：外壁
１１３ｃ：カップ口
１１３ｃ１：第１の環状斜角面
１１３１：シャーシ
１１３３：ボス
１１３５、２２４、５１１５：雄ネジ
１２０、２２０、３２０、４２０、５２０、６２０：リングキット
１２２、４２２、５２２、６２２：第１の接続部
１３０ａ、１３０ｂ、１３０ｃ、１３０ｄ、３３０ｅ：シーリングガスケット
１４０、５４０：カップ蓋
１４２：雌ネジ部
１４４：突起部
１４４１：第２の環状斜角面
２１３９：第２の係合部
２２１：第１の係合部
３３０ｅ１：第３の係合部
Ａ：収納スペース
Ｄ１、Ｄ２：方向
【図１】
0003229895.tif 000003
【図２】
0003229895.tif 000004
【図３】
0003229895.tif 000005
【図４】
0003229895.tif 000006
【図５】
0003229895.tif 000007
【図６】
0003229895.tif 000008
【図７】
0003229895.tif 000009
【図８】
0003229895.tif 000010
【手続補正書】
【提出日】令和2年10月6日(2020.10.6)
【手続補正１】
【補正対象書類名】明細書
【補正対象項目名】全文
【補正方法】変更
【補正の内容】
【考案の詳細な説明】
【技術分野】
【０００１】
本考案は、保温用ボトルに関し、特に、簡単に着脱可能な保温用ボトルに関する。
【背景技術】
【０００２】
野外活動の過程で、保温用ボトルによって飲み物や水の温度を保存することはよくある。断熱保温のために、一般的な保温用ボトルのカップ本体は、内外の２層の容器セットで組み合わせられる。
【０００３】
よく見られる組立方法としては、のり等の接着剤を保温用ボトルのライナーの外壁に塗布した後で、ライナーをしばらく置く。接着剤が風乾したら、円筒形の外スリーブで上向きに保温用ボトルのライナーを覆って、ライナーの外壁の接着剤を外スリーブとライナーに接着させて、外スリーブ及びライナーを互いに固定させる。
【０００４】
しかしながら、この組立方法によれば、接着剤を風乾させてから組み立てるので、全体の組立過程は非常に時間がかかる。また、保温用ボトルが長期間使用された後で、接着剤が老化しやすくなり、粘度が低下するため、ライナーが外スリーブから緩む。また、ユーザーが誤ってライナーを壊す場合、修理者は、ライナーを交換する前に、外スリーブに残っているライナーの全ての破片を取り除かなければならない。これは、保温用ボトルの修理やメンテナンスには、非常に不便である。
【考案の概要】
【考案が解決しようとする課題】
【０００５】
従って、上記の課題を解決できる保温用ボトルを如何に解決するかは、業界が研究開発リソースに投資することを熱望している課題の１つである。
【課題を解決するための手段】
【０００６】
これに鑑みて、本考案の一目的は、接着剤を必要とせず、簡単に着脱可能な保温用ボトルを提出することにある。
【０００７】
上記の目的を達成するために、本考案の一実施形態によれば、収納スペースを有する外スリーブと、収納スペース内に収納されるライナーと、を含むカップ本体と、ライナーの外壁に外嵌され、収納スペース内で外スリーブに結合されるリングキットと、ライナーに取り外し可能に接続されるカップ蓋と、を備える保温用ボトルを提供する。
【０００８】
本考案の一つ又は複数の実施形態において、前記保温用ボトルは、リングキットと外スリーブとの間に当接されるシーリングガスケットを更に備える。
【０００９】
本考案の一つ又は複数の実施形態において、前記保温用ボトルは、リングキットとライナーとの間に当接されるシーリングガスケットを更に備える。
【００１０】
本考案の一つ又は複数の実施形態において、前記保温用ボトルは、外スリーブとライナーとの間に当接されるシーリングガスケットを更に備える。
【００１１】
本考案の一つ又は複数の実施形態において、前記リングキットは第１の接続部を含み、外スリーブは第２の接続部を含み、第１の接続部が第２の接続部に取り外し可能に接続される。
【００１２】
本考案の一つ又は複数の実施形態において、前記第１の接続部と第２の接続部の一方は突起であり、第１の接続部と第２の接続部の他方は凹溝であり、突起が凹溝内に取り外し可能に係合される。
【００１３】
本考案の一つ又は複数の実施形態において、前記第１の接続部は雄ネジであり、第２の接続部は雌ネジであり、雄ネジが雌ネジに取り外し可能に螺合される。
【００１４】
本考案の一つ又は複数の実施形態において、前記リングキットは第１の係合部を含み、ライナーは第２の係合部を含み、第１の係合部が第２の係合部に取り外し可能に係合される。
【００１５】
本考案の一つ又は複数の実施形態において、前記第１の係合部と第２の係合部の一方は突起であり、第１の係合部と第２の係合部の他方は凹溝であり、突起が凹溝内に取り外し可能に係合される。
【００１６】
本考案の一つ又は複数の実施形態において、前記ライナーは、ライナーの内壁に設けられる第１の環状斜角面を有するカップ口を含み、カップ蓋は、カップ口へ突出し、部分的にカップ口内に収納されるように配置される突起部を含み、突起部は、その外壁に設けられる第２の環状斜角面を有し、第１の環状斜角面の幅の変更方向と第２の環状斜角面の幅の変更方向とが同じである。
【００１７】
本考案の一つ又は複数の実施形態において、前記リングキットの上面と外スリーブの上面とは、面一である。
【００１８】
上記の目的を達成するために、本考案の他の実施形態によれば、収納スペースを有する外スリーブと、収納スペース内に収納されるライナーと、を含むカップ本体と、ライナーの外壁に外嵌され、収納スペース内で外スリーブに結合されるリングキットと、外スリーブに取り外し可能に接続されるカップ蓋と、を備える保温用ボトルを提供する。
【００１９】
要するに、本考案の保温用ボトルは、リングキットによって保温用ボトルのライナーの外壁に外嵌されてから、リングキットと外スリーブとの係合により、接着剤を必要とせずに、ライナーが外スリーブに固定されることができる。このように、接着剤の劣化を心配することなく、保温用ボトルの組み立てプロセスを簡略化及び短縮することに役立つ。更に、外スリーブ及びカップ蓋はリングキット及びライナーの外に覆われ、保温用ボトルが落下する時に、衝突によるリングキット及びライナーが破損しないようにリングキット及びライナーを保護する。なお、ライナー、リングキット及び外スリーブに当接されるシーリングガスケットは、ライナー、リングキット及び外スリーブの間の公差によるギャップを充填し、液体の流れ込みを回避することに加え、保温用ボトルを組み立てる時に、ライナー、リングキット及び外スリーブが互いに相対的に摺動して緩むことを避けるように、ライナー、リングキット及び外スリーブの間の摩擦を増加させることができる。
【００２０】
以上述べたのは、本考案が解决しようとする課題、課題を解決するための手段、及び考案の効果等を記述するためのものであり、本考案の具体的な細部を、下記の実施形態及び関連する図面において詳しく説明する。
【図面の簡単な説明】
【００２１】
下記の添付図面の説明は、本考案の上記及び他の目的、特徴、メリット、実施例をより分かりやすくするためのものである。
【図１】本考案の一実施形態に係る保温用ボトルを示す断面図である。
【図２】図１の保温用ボトルを示す部分断面図である。
【図３】図１の保温用ボトルを示す部分断面図であり、カップ蓋がライナーに接続される。
【図４】本考案の別の実施形態の保温用ボトルを示す部分断面図であり、リングキットがライナーのカップ口に延伸する。
【図５】本考案の更に他の実施形態の保温用ボトルを示す部分断面図であり、シーリングガスケットがライナー及びリングキットの間に当接される。
【図６】本考案の更に１つの実施形態の保温用ボトルを示す部分断面図であり、外スリーブとリングキットとが係合するように互いに固定される。
【図７】本考案の更に１つの実施形態の保温用ボトルを示す部分断面図であり、カップ蓋が外スリーブに螺合されるようにカップ本体を覆う。
【図８】本考案の更に１つの実施形態の保温用ボトルを示す部分断面図であり、カップ蓋が外スリーブに螺合されるようにカップ本体を覆い、且つ外スリーブとリングキットが螺合されるように互いに固定される。
【考案を実施するための形態】
【００２２】
以下、図面で本考案の複数の実施形態を説明する。明らかに説明するために、下記で多くの実際の細部を合わせて説明する。しかしながら、理解すべきなのは、これらの実際の細部が、本考案を制限するためのものではない。つまり、本考案の実施形態の一部において、これらの実際の細部は、必ずしも必要ではない。また、図面を簡略化するために、ある従来慣用の構造及び素子については、図面において簡単で模式的に示される。
【００２３】
図１を参照されたい。図１は、本考案一実施形態の保温用ボトル１００を示す断面図である。
【００２４】
図１に示すように、保温用ボトル１００は、カップ本体１１０と、リングキット１２０と、４つのシーリングガスケット１３０ａ、１３０ｂ、１３０ｃ、１３０ｄと、カップ蓋１４０と、を備える。カップ本体１１０は、外スリーブ１１１と、ライナー１１３と、を含む。外スリーブ１１１は、ポート１１１ａ及び収納スペースＡを有する。ポート１１１ａは、外スリーブ１１１のベース１１１１に対向する。収納スペースＡは、ポート１１１ａとベース１１１１との間に形成される。ライナー１１３は、ポート１１１ａを貫通して、収納スペースＡ内に収納される。シーリングガスケット１３０ｃは、外スリーブ１１１のベース１１１１とライナー１１３のシャーシ１１３１との間に当接される。シーリングガスケット１３０ｃは、弾性を有する。このように、シーリングガスケット１３０ｃは、ライナー１１３が破れることを防止するように、保温用ボトル１００の方向Ｄ１に受ける衝突を吸収することができる。
【００２５】
いくつかの実施形態において、外スリーブ１１１の材質は、ステンレス鋼のような硬い材質であってよいが、本考案はこれに限定されない。
【００２６】
いくつかの実施形態において、ライナー１１３の材質は、セラミックス、ガラスであってよいが、本考案はこれらに限定されない。
【００２７】
いくつかの実施形態において、リングキット１２０の材質は、例えばポリプロピレン（Ｐｏｌｙｐｒｏｐｙｌｅｎｅ；ＰＰ）、ＡＢＳ樹脂（Ａｃｒｙｌｏｎｉｔｒｉｌｅ  Ｂｕｔａｄｉｅｎｅ  Ｓｔｙｒｅｎｅ；ＡＢＳ）のようなプラスチック材質であってよいが、本考案はこれらに限定されない。
【００２８】
いくつかの実施形態において、シーリングガスケット１３０ａ、１３０ｂ、１３０ｃ、１３０ｄの材質は、シリカゲルであってよいが、本考案はこれに限定されない。
【００２９】
いくつかの実施形態において、外スリーブ１１１及びライナー１１３の形は、角柱状、筒状、トーチ状又は他の任意の形であってよいが、本考案はこれらに限定されない。
【００３０】
図２及び図３を参照されたい。図２は、図１の保温用ボトル１００を示す部分断面図である。図３は、図１の保温用ボトル１００を示す部分断面図であり、カップ蓋１４０がライナー１１３に接続される。
【００３１】
リングキット１２０は、ライナー１１３の外壁１１３ａに外嵌され、且つ収納スペースＡ内で外スリーブ１１１に結合される。具体的に、リングキット１２０は、第１の接続部１２２を含む。第１の接続部１２２は、リングキット１２０の外壁１２０ａに設けられる。第１の接続部１２２は、雄ネジである。外スリーブ１１１は、第２の接続部１１１３を含む。第２の接続部１１１３は、外スリーブ１１１の内壁１１１ｂに設けられる。第２の接続部１１１３は、雌ネジである。リングキット１２０は、第１の接続部１２２と第２の接続部１１１３との螺合により、外スリーブ１１１に結合される。これにより、ライナー１１３は、リングキット１２０と外スリーブ１１１との螺合により、外スリーブ１１１に固定される。
【００３２】
シーリングガスケット１３０ａは、リングキット１２０の外壁１２０ａに外嵌され、且つリングキット１２０及び外スリーブ１１１の間に当接される。シーリングガスケット１３０ｂは、ライナー１１３の外壁１１３ａに外嵌され、且つライナー１１３及び外スリーブ１１１の間に当接される。更に、ライナー１１３は、ボス１１３３を含む。ボス１１３３は、ライナー１１３の外壁１１３ａに接続され、ライナー１１３の外壁１１３ａに対して突出する。シーリングガスケット１３０ｂは、ボス１１３３に置かれる。リングキット１２０は、更にシーリングガスケット１３０ｂに設けられる。言い換えれば、方向Ｄ１に、シーリングガスケット１３０ｂはリングキット１２０及びボス１１３３の間に当接される。方向Ｄ２に、シーリングガスケット１３０ｂはライナー１１３及び外スリーブ１１１の間に当接される。方向Ｄ１は、実際に方向Ｄ２と垂直である。
【００３３】
ライナー１１３、外スリーブ１１１及びリングキット１２０の製造の過程において、公差により、組み立てる時にライナー１１３、外スリーブ１１１及びリングキット１２０の外縁が完全にフィットできなくなり、外スリーブ１１１、ライナー１１３及びリングキット１２０の間にギャップを持たせる。シーリングガスケット１３０ａ、１３０ｂは、これらのギャップを充填するように外スリーブ１１１、ライナー１１３及びリングキット１２０の間に設けられて、飲料、水等の液体が外スリーブ１１１、ライナー１１３及びリングキット１２０の間のギャップに流れ込むことを防止する。また、シーリングガスケット１３０ａ、１３０ｂは、ライナー１１３、外スリーブ１１１及びリングキット１２０の間の摩擦力を増加させることもでき、これによりライナー１１３、外スリーブ１１１及びリングキット１２０が互いに相対的に摺動又は回動して緩むことを防止する。なお、液体が意外にライナー１１３とリングキット１２０の間、又は、外スリーブ１１１とリングキット１２０の間に流れ込むと、ボス１１３３は、液体の流れを止めることができ、液体をボス１１３３に蓄積させる。これにより、使用者は、保温用ボトル１００を上下逆さまにして、液体を素早く流出させる。
【００３４】
更に、本実施形態において、リングキット１２０の上面１２０ｂと外スリーブ１１１の上面１１１ｃとは、面一である。ライナー１１３は、カップ口１１３ｃを有する。カップ口１１３ｃは、リングキット１２０の上面１２０ｂと外スリーブ１１１の上面１１１ｃに対して延伸して突出する。言い換えれば、カップ口１１３ｃは、部分的に外スリーブ１１１のポート１１１ａを介して露出する。カップ蓋１４０は、取り外し可能にライナー１１３のカップ口１１３ｃに接続される。このように、ライナー１１３における液体を飲むために使用者の口がカップ口１１３ｃに近い場合、使用者の口がリングキット１２０に触れなく、直接ライナー１１３と接触する。健康面では、使用者にとってより安全で衛生的である。見た目も綺麗である。
【００３５】
具体的に、カップ口１１３ｃの外壁１１３ａには雄ネジ部１１３５が設けられる。カップ蓋１４０の内壁１４０ａは、雌ネジ部１４２を含む。カップ蓋１４０は、図３に示すように、雌ネジ部１４２によりライナー１１３の雄ネジ部１１３５に螺合されて、カップ口１１３ｃを覆う。カップ口１１３ｃは、第１の環状斜角面１１３ｃ１を有する。第１の環状斜角面１１３ｃ１は、ライナー１１３の内壁に設けられる。第１の環状斜角面１１３ｃ１の幅は、方向Ｄ１に沿ってカップ蓋１４０に近ければ近いほど次第に増加する。カップ蓋１４０は、突起部１４４を含む。突起部１４４は、カップ口１１３ｃへ突出する。カップ蓋１４０とライナー１１３とが螺合されて接続される場合、突起部１４４は部分的にカップ口１１３ｃ内に収納される。突起部１４４は、第２の環状斜角面１４４１を有する。第２の環状斜角面１４４１は、突起部１４４の外壁に設けられる。第２の環状斜角面１４４１の幅は、方向Ｄ１に沿ってカップ口１１３ｃに近ければ近いほど次第に小さくなる。言い換えれば、第１の環状斜角面１１３ｃ１の幅の変更方向は、実際に第２の環状斜角面１４４１の幅の変更方向と同じである。
【００３６】
シーリングガスケット１３０ｄは、突起部１４４に設けられる。カップ蓋１４０がライナー１１３に螺合される場合、シーリングガスケット１３０ｄは、第１の環状斜角面１１３ｃ１及び第２の環状斜角面１４４１の間に当接される。第１の環状斜角面１１３ｃ１と、第２の環状斜角面１４４１との両者の幅の変更の組み合わせにより、シーリングガスケット１３０ｄは、カップ蓋１４０とライナー１１３の間のギャップを効果的に塞いで、ライナー１１３に収納される液体が漏れることを防ぐことができる。
【００３７】
いくつかの実施形態において、シーリングガスケット１３０ａ、１３０ｂ、１３０ｃ、１３０ｄの数は、１つ又は、複数である。他の実施形態において、シーリングガスケット１３０ａ、１３０ｂ、１３０ｃ、１３０ｄを選択的に略してよいが、本考案はこれに限定されべきではない。
【００３８】
上記の構造設計のように、保温用ボトル１００を組み立てる時に、まずシーリングガスケット１３０ｂ及びリングキット１２０を順次にライナー１１３の外壁１１３ａに外嵌する。そして、シーリングガスケット１３０ａをリングキット１２０の外壁１２０ａに外嵌する。最後、リングキット１２０と外スリーブ１１１とが螺合して固定されると、保温用ボトル１００の組み立てが完成される。この組み立て形態により、接着剤の使用を略して、大幅に保温用ボトル１００の組み立て?間を短くして、接着剤の老化がなく、ライナー１１３が外スリーブ１１１から落ちるという問題を解決することができる。また、機械的強度が大きな外スリーブ１１１は、機械的強度が小さいリングキット１２０の外に覆われて、リングキット１２０を保護して、保温用ボトル１００が落ちる時に、リングキット１２０及びライナー１１３の破損を避けることができる。このように、メンテナンス中に、ライナー１１３のみを交換する必要があり、リングキット１２０は、依然として再利用することができ、メンテナンスのコストを削減することに役立つ。
【００３９】
図４を参照されたい。図４は、本考案の他の実施形態の保温用ボトル２００を示す部分断面図であり、リングキット２２０がライナー１１３のカップ口１１３ｃに延伸する。図４に示すように、本実施形態において、保温用ボトル２００は、カップ本体２１０、リングキット２２０、シーリングガスケット１３０ａ、１３０ｂ、１３０ｄ及びカップ蓋１４０を含む。カップ本体２１０は、外スリーブ１１１及びライナー２１３を含む。本実施形態における外スリーブ１１１、シーリングガスケット１３０ａ、１３０ｂ、１３０ｄ及びカップ蓋１４０は何れも図２に示すような実施形態と同じであり又は類似するので、前記の関連説明を参照して、ここに説明しない。説明すべきなのは、本実施形態は図２に示すような実施形態との差異は、本実施形態におけるリングキット２２０の上面２２０ｂが外スリーブ１１１の上面１１１ｃに対して突出することにある。言い換えれば、リングキット２２０は、更にカップ口１１３ｃの外壁１１３ａを囲む。リングキット２２０の外壁２２０ａは、雄ネジ部２２４を有する。本実施形態において、カップ蓋１４０の雌ネジ部１４２は、リングキット２２０の雄ネジ部２２４と互いに螺合されて、カップ本体２１０を覆う。且つ、カップ蓋１４０がカップ本体２１０を覆う場合、リングキット２２０は、ライナー２１３及びカップ蓋１４０の間（未図示）に当接される。このように、リングキット２２０は、カップ口１１３ｃのライナー２１３を保護して、ライナー２１３を破損させる外力による衝突又は衝撃を防止することができる。
【００４０】
更に、本実施形態において、リングキット２２０は、第１の係合部２２１を含む。ライナー２１３は、第２の係合部２１３９を含む。第１の係合部２２１は、凹溝である。第２の係合部２１３９は、ライナー２１３の外壁１１３ａに対して突出する突起である。ライナー２１３とリングキット２２０とは、第２の係合部２１３９及び第１の係合部２２１の係合により互いに固定される。
【００４１】
いくつかの実施形態において、第２の係合部２１３９は、凹溝であり、第１の係合部２２１は突起であり、本考案はこれらに限定されない。
【００４２】
図５を参照されたい。図５は、本考案の更に１つの実施形態の保温用ボトル３００を示す部分断面図であり、シーリングガスケット３３０ｅがライナー１１３及びリングキット３２０の間に当接される。図５に示すように、本実施形態において、保温用ボトル３００は、カップ本体１１０、リングキット３２０、シーリングガスケット１３０ａ、１３０ｄ、３３０ｅ及びカップ蓋１４０を含む。本実施形態におけるカップ本体１１０、シーリングガスケット１３０ａ、１３０ｄ及びカップ蓋１４０は、何れも前記のような実施形態と同じであり又は類似するので、前記の関連説明を参照するが、ここに説明しない。説明すべきなのは、本実施形態と前記のような実施形態との差異は、本実施形態において、保温用ボトル３００がシーリングガスケット３３０ｅを更に含むことにある。シーリングガスケット３３０ｅは、ライナー１１３外に外嵌され、方向Ｄ２にライナー１１３及びリングキット３２０の間に当接される。
【００４３】
更に、シーリングガスケット３３０ｅは、第３の係合部３３０ｅ１を含む。第３の係合部３３０ｅ１は、突起である。リングキット３２０は、第１の係合部２２１を含む。第１の係合部２２１は、凹溝である。シーリングガスケット３３０ｅ及びリングキット３２０は、第３の係合部３３０ｅ１及び第１の係合部２２１の係合により固定される。組み立てる時に、まずシーリングガスケット３３０ｅをライナー１１３の外に外嵌して、リングキット３２０とシーリングガスケット３３０ｅとを係合させる。このように、リングキット３２０が外スリーブ１１１に接続される場合、シーリングガスケット３３０ｅは、リングキット３２０とライナー１１３の間の摩擦力を増加させてよく、これによりリングキット３２０とライナー１１３が互いに相対的に摺動することを防止する。
【００４４】
いくつかの実施形態において、第３の係合部３３０ｅ１は、凹溝であり、第１の係合部２２１は突起であり、本考案はこれらに限定されない。
【００４５】
図６を参照されたい。図６は、本考案の更に１つの実施形態の保温用ボトル４００を示す部分断面図であり、外スリーブ４１１及びリングキット４２０は、係合するように固定される。図６に示すように、本実施形態において、保温用ボトル４００は、カップ本体４１０、リングキット４２０、シーリングガスケット１３０ａ、１３０ｂ、１３０ｄ及びカップ蓋１４０を含む。カップ本体４１０は、外スリーブ４１１及びライナー１１３を含む。本実施形態におけるライナー１１３、シーリングガスケット１３０ａ、１３０ｂ、１３０ｄ及びカップ蓋１４０は、何れも図２に示すような実施形態と同じであり又は類似するので、前記の関連説明を参照することができ、ここに説明しない。説明すべきなのは、本実施形態と図２に示すような実施形態との差異は、本実施形態において、リングキット４２０の第１の接続部４２２がリングキット４２０の外壁４２０ａに対して突出する突起であることにある。対応的に、外スリーブ４１１の第２の接続部４１１３は、凹溝である。リングキット４２０は、第１の接続部４２２と第２の接続部４１１３の係合を介して、外スリーブ４１１に結合される。このように、組み立てる時に、力を与えて外スリーブ４１１とリングキット４２０を係合させると、快速に保温用ボトル４００を組み立てることができる。
【００４６】
いくつかの実施形態において、第１の接続部４２２は、凹溝であり、第２の接続部４１１３は突起であり、本考案はこれらに限定されない。
【００４７】
いくつかの実施形態において、図６に示すような第１の接続部４２２及び第２の接続部４１１３も前記の図２〜図５に示すような実施例に適用され、本考案はこれらに限定されない。
【００４８】
図７を参照されたい。図７は、本考案の更に１つの実施形態の保温用ボトル５００を示す部分断面図であり、カップ蓋５４０が外スリーブ５１１に螺合されるようにカップ本体５１０を覆う。図７に示すように、本実施形態において、保温用ボトル５００は、カップ本体５１０、リングキット５２０、シーリングガスケット１３０ａ、３３０ｅ及びカップ蓋５４０を含む。カップ本体５１０は、ライナー５１３及び外スリーブ５１１を含む。本実施形態におけるシーリングガスケット１３０ａ、３３０ｅは、何れも前記のような実施形態と同じであり又は類似するので、前記の関連説明を参照することができ、ここに説明しない。説明すべきなのは、本実施形態と前記のような実施形態との差異は、本実施形態において、外スリーブ５１１が更に方向Ｄ１に沿ってカップ蓋５４０へ延伸することにある。言い換えれば、外スリーブ５１１のポート５１１ａは、ライナー５１３のカップ口１１３ｃを囲む。リングキット５２０は、ライナー５１３及び外スリーブ５１１の間に固定される。外スリーブ５１１の外壁は、雄ネジ部５１１５を含む。カップ蓋５４０は、雌ネジ部１４２により外スリーブ５１１の雄ネジ部５１１５と互いに螺合されて、カップ本体５１０を覆う。
【００４９】
本実施形態において、リングキット５２０の第１の接続部５２２は、凹溝であり、外スリーブ５１１の第２の接続部５１１３は、突起である。リングキット５２０と外スリーブ５１１とは、突起と凹溝との係合するように固定される。
【００５０】
更に、本実施形態において、ライナー５１３は、ライナー１１３の第１の環状斜角面１１３ｃ１を省略した。カップ蓋５４０は、カップ蓋１４０の突起部１４４及び第２の環状斜角面１４４１を省略したが、本考案はこれに限定されない。
【００５１】
図８を参照されたい。図８は、本考案の更に１つの実施形態の保温用ボトル６００を示す部分断面図であり、カップ蓋５４０が外スリーブ６１１に螺合されるようにカップ本体６１０を覆い、且つ外スリーブ６１１とリングキット６２０とが螺合されるように互いに固定される。図８に示すように、本実施形態において、保温用ボトル６００は、カップ本体６１０、リングキット６２０、シーリングガスケット１３０ａ、３３０ｅ及びカップ蓋５４０を含む。カップ本体６１０は、ライナー５１３及び外スリーブ６１１を含む。本実施形態におけるライナー５１３、シーリングガスケット１３０ａ、３３０ｅ及びカップ蓋５４０は、何れも図７に示すような実施形態と同じであり又は類似するので、前記の関連説明を参照することができ、ここに説明しない。説明すべきなのは、本実施形態と図７に示すような実施形態との差異は、図７に示すような実施形態において、リングキット５２０と外スリーブ５１１とが凹溝と突起との係合により固定されることにある。しかしながら、本実施形態において、リングキット６２０の第１の接続部６２２は、雄ネジであり、外スリーブ６１１の第２の接続部６１１３は、雌ネジである。リングキット６２０と外スリーブ６１１とは、雄ネジと雌ネジとの螺合により固定される。
【００５２】
上記の構造設計のように、機械的強度が大きい外スリーブ５１１／６１１が機械的強度の小さいリングキット５２０／６２０及びライナー５１３の外に覆われて、リングキット５２０／６２０及びライナー５１３を保護して、保温用ボトル５００／６００が落ちる時に、リングキット５２０／６２０及びライナー５１３の破損を避けることができる。
【００５３】
本考案の具体的な実施形態に関する上記の詳細な説明から明らかにわかるように、本考案の保温用ボトルは、リングキットによって保温用ボトルのライナーの外壁に外嵌されてから、リングキットと外スリーブとの係合により、ライナーが接着剤を必要とせず外スリーブに固定されることができる。このように、接着剤の劣化を心配することなく、保温用ボトルの組み立てプロセスを簡略化及び短縮することに役立つ。更に、外スリーブ及びカップ蓋はリングキット及びライナーの外に覆われ、保温用ボトルが落下する時に、衝突によりリングキット及びライナーが破損しないようにリングキット及びライナーを保護する。なお、ライナー、リングキット及び外スリーブに当接されるシーリングガスケットは、ライナー、リングキット及び外スリーブの間の公差によるギャップを充填し、液体の流れを回避することに加え、保温用ボトルを組み立てる時に、ライナー、リングキット及び外スリーブが互いに相対的に摺動して緩むことを避けるように、ライナー、リングキット及び外スリーブの間の摩擦を増加させることができる。
【００５４】
本考案は、実施形態を前記の通りに開示したが、これは、本考案を限定するものではなく、当業者であれば、本考案の精神と範囲から逸脱しない限り、多様の変更や修飾を加えることができる。従って、本考案の保護範囲は、下記実用新案登録請求の範囲で指定した内容を基準とするものである。
【符号の説明】
【００５５】
１００、２００、３００、４００、５００、６００：保温用ボトル
１１０、２１０、４１０、５１０、６１０：カップ本体
１１１、４１１、５１１、６１１：外スリーブ
１１１ａ、５１１ａ：ポート
１１１ｂ、１４０ａ：内壁
１１１ｃ、１２０ｂ、２２０ｂ：上面
１１１１：ベース
１１１３、４１１３、５１１３、６１１３：第２の接続部
１１３、２１３、５１３：ライナー
１１３ａ、１２０ａ、２２０ａ、４２０ａ：外壁
１１３ｃ：カップ口
１１３ｃ１：第１の環状斜角面
１１３１：シャーシ
１１３３：ボス
１１３５、２２４、５１１５：雄ネジ部
１２０、２２０、３２０、４２０、５２０、６２０：リングキット
１２２、４２２、５２２、６２２：第１の接続部
１３０ａ、１３０ｂ、１３０ｃ、１３０ｄ、３３０ｅ：シーリングガスケット
１４０、５４０：カップ蓋
１４２：雌ネジ部
１４４：突起部
１４４１：第２の環状斜角面
２１３９：第２の係合部
２２１：第１の係合部
３３０ｅ１：第３の係合部
Ａ：収納スペース
Ｄ１、Ｄ２：方向
【手続補正２】
【補正対象書類名】実用新案登録請求の範囲
【補正対象項目名】全文
【補正方法】変更
【補正の内容】
【実用新案登録請求の範囲】
【請求項１】
収納スペースを有する外スリーブと、前記収納スペース内に収納されるライナーと、を含むカップ本体と、
前記ライナーの外壁に外嵌され、前記収納スペース内で前記外スリーブに結合されるリングキットと、
前記ライナーに取り外し可能に接続されるカップ蓋と、
を備える保温用ボトル。
【請求項２】
前記リングキットと前記外スリーブとの間に当接されるシーリングガスケットを更に備える請求項１に記載の保温用ボトル。
【請求項３】
前記リングキットと前記ライナーとの間に当接されるシーリングガスケットを更に備える請求項１に記載の保温用ボトル。
【請求項４】
前記外スリーブと前記ライナーとの間に当接されるシーリングガスケットを更に備える請求項１に記載の保温用ボトル。
【請求項５】
前記リングキットは第１の接続部を含み、前記外スリーブは第２の接続部を含み、前記第１の接続部が前記第２の接続部に取り外し可能に接続される請求項１に記載の保温用ボトル。
【請求項６】
前記第１の接続部と前記第２の接続部の一方は突起であり、前記第１の接続部と前記第２の接続部の他方は凹溝であり、前記突起が前記凹溝内に取り外し可能に係合される請求項５に記載の保温用ボトル。
【請求項７】
前記第１の接続部は雄ネジであり、前記第２の接続部は雌ネジであり、前記雄ネジが前記雌ネジに取り外し可能に螺合される請求項５に記載の保温用ボトル。
【請求項８】
前記リングキットは第１の係合部を含み、前記ライナーは第２の係合部を含み、前記第１の係合部が前記第２の係合部に取り外し可能に係合される請求項１に記載の保温用ボトル。
【請求項９】
前記第１の係合部と前記第２の係合部の一方は突起であり、前記第１の係合部と前記第２の係合部の他方は凹溝であり、前記突起が前記凹溝内に取り外し可能に係合される請求項８に記載の保温用ボトル。
【請求項１０】
前記ライナーは、前記ライナーの内壁に設けられる第１の環状斜角面を有するカップ口を含み、前記カップ蓋は、前記カップ口へ突出し、部分的に前記カップ口内に収納されるように配置される突起部を含み、前記突起部は、その外壁に設けられる第２の環状斜角面を有し、前記第１の環状斜角面の幅の変更方向と前記第２の環状斜角面の幅の変更方向とが同じである請求項１に記載の保温用ボトル。
【請求項１１】
前記リングキットの上面と前記外スリーブの上面とは、面一である請求項１に記載の保温用ボトル。
【請求項１２】
収納スペースを有する外スリーブと、前記収納スペース内に収納されるライナーと、を含むカップ本体と、
前記ライナーの外壁に外嵌され、前記収納スペース内で前記外スリーブに結合されるリングキットと、
前記外スリーブに取り外し可能に接続されるカップ蓋と、
を備える保温用ボトル。
【請求項１３】
前記リングキットと前記外スリーブとの間に当接されるシーリングガスケットを更に備える請求項１２に記載の保温用ボトル。
【請求項１４】
前記リングキットと前記ライナーとの間に当接されるシーリングガスケットを更に備える請求項１２に記載の保温用ボトル。
【請求項１５】
前記外スリーブと前記ライナーとの間に当接されるシーリングガスケットを更に備える請求項１２に記載の保温用ボトル。
【請求項１６】
前記リングキットは第１の接続部を含み、前記外スリーブは第２の接続部を含み、前記第１の接続部が前記第２の接続部に取り外し可能に接続される請求項１２に記載の保温用ボトル。
【請求項１７】
前記第１の接続部と前記第２の接続部の一方は突起であり、前記第１の接続部と前記第２の接続部の他方は凹溝であり、前記突起が前記凹溝内に取り外し可能に係合される請求項１６に記載の保温用ボトル。
【請求項１８】
前記第１の接続部は雄ネジであり、前記第２の接続部は雌ネジであり、前記雄ネジが前記雌ネジに取り外し可能に螺合される請求項１６に記載の保温用ボトル。
【請求項１９】
前記リングキットは第１の係合部を含み、前記ライナーは第２の係合部を含み、前記第１の係合部が前記第２の係合部に取り外し可能に係合される請求項１２に記載の保温用ボトル。
【請求項２０】
前記第１の係合部と前記第２の係合部の一方は突起であり、前記第１の係合部と前記第２の係合部の他方は凹溝であり、前記突起が前記凹溝内に取り外し可能に係合される請求項１９に記載の保温用ボトル。
【請求項２１】
前記ライナーは、前記ライナーの内壁に設けられる第１の環状斜角面を有するカップ口を含み、前記カップ蓋は、前記カップ口へ突出し、部分的に前記カップ口内に収納されるように配置される突起部を含み、前記突起部は、その外壁に設けられる第２の環状斜角面を有し、前記第１の環状斜角面の幅の変更方向と前記第２の環状斜角面の幅の変更方向とが同じである請求項２０に記載の保温用ボトル。